(57)【特許請求の範囲】
【請求項１】
壁面に、下地材に化粧材を積層してなる化粧パネルを一体的に設けるにあたり、下地材の互いに対向する一対の端縁部のうち少なくとも一方の端縁部に、壁面に向けて折曲する折曲片を形成する一方、化粧材の前記折曲片に対向する端縁部に、壁面に向けて折曲する連結片を形成し、連結片の弾性変形に基づいて化粧材を下地材に外嵌固定させるように構成した化粧パネルの躯体固定構造。
【請求項２】
下地材は、裏面に固定した支持ブラケットを、下地材に開設した貫通孔を介して挿通した螺子により壁面に固定されている請求項１に記載の化粧パネルの躯体固定構造。
【請求項３】
下地材の折曲片が形成される端縁部には、該端縁部における一対の端部のうちの少なくとも一方の端部に、折曲片とともに切り欠いた切り欠き部を形成した請求項１または２の何れか一項に記載の化粧パネルの躯体固定構造。
【請求項４】
化粧材の連結片は、化粧材端縁よりも内側に偏寄して形成されている請求項１乃至３の何れか一項に記載の化粧パネルの躯体固定構造。
【請求項５】
化粧材の連結片には、下地材折曲片との当接で連結片を弾性変形させる膨出部が形成されている請求項１乃至４の何れか一項に記載の化粧パネルの躯体固定構造。
【請求項６】
下地材の折曲片を、下地材本体部とのあいだに鋭角を形成するよう傾斜状に折曲し、膨出部は、傾斜状の折曲片に係止して抜け止めされるように構成されている請求項１乃至５の何れか一項に記載の化粧パネルの躯体固定構造。
【請求項７】
下地材に外嵌する化粧材は、建築物の躯体開口部に開閉自在に設けられるドア体の一側部に配される上下方向長尺状のエントランスユニットを構成するものとし、下地材折曲片と化粧材連結片とは、それぞれの長手方向端縁部となる左右端縁部の少なくとも一方に形成されている請求項１乃至６の何れか一項に記載の化粧パネルの躯体固定構造。
【請求項８】
下地材の折曲片が形成されない他方の対向端縁部には、下地材の取り付け位置の位置決めをする位置決め片が形成されている請求項１乃至７の何れか一項に記載の化粧パネルの躯体固定構造。
【請求項９】
下地材に形成された位置決め片は、ドア枠に突き当てられている請求項７または８の何れか一項に記載の化粧パネルの躯体固定構造。
【請求項１０】
壁面に、下地材に化粧材を積層してなる化粧パネルを一体的に設けるにあたり、互いに対向する一対の端縁部のうち少なくとも一方の端縁部に壁面に向けて折曲する折曲片が形成された下地材を、予め壁面に固定し、その後、前記折曲片に対向する端縁部に壁面に向けて折曲する連結片が形成された化粧材を、連結片の弾性変形に基づいて下地材に外嵌固定するようにした化粧パネルの躯体固定方法。
【発明の詳細な説明】
【技術分野】
【０００１】
本発明は、建築物の側面、特に、開口部に開閉自在に設けられるドアの側部に設けられるエントランスユニット等を構成する化粧パネルの躯体固定構造および躯体固定方法の技術分野に属するものである。
【背景技術】
【０００２】
一般に、建築物の壁面、特に、集合住宅のようにスペースの限られた玄関周辺の壁面に、玄関ドアに用いられる化粧材と同様の化粧材を用いて構成したエントランスユニットを設け、該エントランスユニットに、照明、ネームプレート、インターホン、新聞受け等の玄関回りに必要な部材装置を各種組み込んで機能性を高めるとともに、意匠的にも優れるようにしたものが提唱されている。前記エントランスユニットを設ける場合、化粧材を用いて構成したユニットを工場にて組み立て、このものを壁面に固定する構成とするのが簡便であるが、このようにした場合、エントランスユニットを壁面に固定するための固定具が化粧材の外部に露出するという問題がある。
【０００３】
これを改善するため、壁面に当接する基材と、該基材の四周を囲繞するドア枠とを備えた取り付け枠を壁面に一体的に設け、該取り付け枠に対して、化粧材に下地材を一体化して構成した化粧パネルを固定する一方、化粧パネルと基材とのあいだの隙間に、インターホンの本体等、必要な部材を内装するように構成し、壁面固定用の固定具が外部に露出しないようにしたものが提唱されている。
【特許文献１】特開２００３−６４９５０号公報
【発明の開示】
【発明が解決しようとする課題】
【０００４】
しかるに、前記従来のものは、化粧材に強度が不足することから、化粧材に下地材を一体化した化粧パネルを用いており、このような化粧パネルは、予め接着剤等の一体化手段を用いて一体化したものに形成しておかなければならず、作業数が増加するという問題がある。しかも、このものでは、取り付け枠、化粧パネルとを設置現場に移送し、該現場にて、予め取り付け枠を取り付けたうえで、該取り付け枠に対し化粧パネルを取り付ける作業が必要となるため、部品点数が多く、作業工程数が増加してしまうばかりでなく、低コスト化を図ることが難しいという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、壁面に、下地材に化粧材を積層してなる化粧パネルを一体的に設けるにあたり、下地材の互いに対向する一対の端縁部のうち少なくとも一方の端縁部に、壁面に向けて折曲する折曲片を形成する一方、化粧材の前記折曲片に対向する端縁部に、壁面に向けて折曲する連結片を形成し、連結片の弾性変形に基づいて化粧材を下地材に外嵌固定させるように構成した化粧パネルの躯体固定構造である。
請求項２の発明は、下地材は、裏面に固定した支持ブラケットを、下地材に開設した貫通孔を介して挿通した螺子により壁面に固定されている請求項１に記載の化粧パネルの躯体固定構造である。
請求項３の発明は、下地材の折曲片が形成される端縁部には、該端縁部における一対の端部のうちの少なくとも一方の端部に、折曲片とともに切り欠いた切り欠き部を形成した請求項１または２の何れか一項に記載の化粧パネルの躯体固定構造である。
請求項４の発明は、化粧材の連結片は、化粧材端縁よりも内側に偏寄して形成されている請求項１乃至３の何れか一項に記載の化粧パネルの躯体固定構造である。
請求項５の発明は、化粧材の連結片には、下地材折曲片との当接で連結片を弾性変形させる膨出部が形成されている請求項１乃至４の何れか一項に記載の化粧パネルの躯体固定構造である。
請求項６の発明は、下地材の折曲片を、下地材本体部とのあいだに鋭角を形成するよう傾斜状に折曲し、膨出部は、傾斜状の折曲片に係止して抜け止めされるように構成されている請求項１乃至５の何れか一項に記載の化粧パネルの躯体固定構造である。
請求項７の発明は、下地材に外嵌する化粧材は、建築物の躯体開口部に開閉自在に設けられるドア体の一側部に配される上下方向長尺状のエントランスユニットを構成するものとし、下地材折曲片と化粧材連結片とは、それぞれの長手方向端縁部となる左右端縁部の少なくとも一方に形成されている請求項１乃至６の何れか一項に記載の化粧パネルの躯体固定構造である。
請求項８発明は、下地材の折曲片が形成されない他方の対向端縁部には、下地材の取り付け位置の位置決めをする位置決め片が形成されている請求項１乃至７の何れか一項に記載の化粧パネルの躯体固定構造である。
請求項９の発明は、下地材に形成された位置決め片は、ドア枠に突き当てられている請求項７または８に記載の化粧パネルの躯体固定構造である。
請求項１０の発明は、壁面に、下地材に化粧材を積層してなる化粧パネルを一体的に設けるにあたり、互いに対向する一対の端縁部のうち少なくとも一方の端縁部に壁面に向けて折曲する折曲片が形成された下地材を、予め壁面に固定し、その後、前記折曲片に対向する端縁部に壁面に向けて折曲する連結片が形成された化粧材を、連結片の弾性変形に基づいて下地材に外嵌固定するようにした化粧パネルの躯体固定方法である。
【発明の効果】
【０００６】
請求項１の発明とすることにより、予め下地材と化粧材とを積層状態に一体化しておく必要がなくなり、直接設置現場でこれらを一体化しつつ設置することができて、簡単に取り付けることができて、作業性が向上する。
請求項２の発明とすることにより、取り付け枠を設けないにもかかわらず、化粧材を壁面に固定するのに必要な螺子が外部に露出することがなく、意匠性に優れる。
請求項３の発明とすることにより、化粧材連結片と下地材折曲片とを強固に一体化できるものでありながら、化粧材を下地材に外嵌させる作業を円滑、かつ、容易に行える。
請求項４の発明とすることにより、意匠性が優れるうえ、外嵌作業が容易になる。
請求項５、６の発明とすることにより、化粧材を下地材に抜け止め状に外嵌させることができる。
請求項７、８、９の発明とすることにより、玄関ドアに対して正確な位置決めをした状態で取り付けることができる。
請求項１０の発明とすることにより、予め下地材と化粧材とを積層状態に一体化する必要がなくなり、しかも、直接設置現場でこれらを一体化しつつ設置することができて、作業性が向上する。
【発明を実施するための最良の形態】
【０００７】
つぎに、本発明の実施の形態について、図面に基づいて説明する。
図面において、１は集合住宅の玄関開口部に設けられる玄関ドア（開閉用ドア）であって、該玄関ドア１は、躯体を構成する壁面Ｗに形成した開口部に一体的に設けられるドア枠（四周枠）２に対して開閉するよう構成されている。前記ドア枠２は、上下枠部２ａ、２ｂ、左右枠部２ｃ、２ｄとを備えて構成されており、上下枠部２ａ、２ｂの右端部に配した回動支軸１ａを玄関ドア１の右端縁部に一体的に連結することにより、玄関ドア１は、右端縁部位を基準として表裏方向（屋内外方向）に揺動して、開口部（玄関）の開閉をするように構成されている。
ここで、玄関ドア１は、金属製板材からなる表裏一対の面板１ｂ、１ｃと、これら面板１ｂ、１ｃ間に介装される断熱性材からなるコア材１ｄとを備えて構成されていること等は、従来、汎用される構成となっている。
【０００８】
そして、図１に示すように、ドア枠２を構成する左枠部２ｃの左側に隣接する壁面Ｗに、本発明が実施された上下方向長尺状のエントランスユニット３が設けられている。
本発明が実施されたエントランスユニット３は、玄関ドア１の上下方向長さと略同じ長さに形成され、玄関ドア１の表面板（屋外側面板）１ｂと略面一状に位置して配される化粧パネル４を、直接壁面Ｗに取り付けることにより構成されている。しかも、前記化粧パネル４は、壁面Ｗと対向状に配される裏面側の下地材５と、玄関ドア１の表面板１ｂと同様の金属製板材からなる表面側の化粧材６とが一体的に積層された積層構造となっていて、パネル面の強度が確保されるように構成されるが、本発明が実施された化粧パネル４は、設置現場において下地材５と化粧材６とを組み込む構成となっていて、予め下地材５と化粧材６とを一体的に積層構造としたものを用意する必要がなく、設置現場で作業性良く取り付けることができるように構成されている。
【０００９】
前記下地材５は、化粧材６よりも板厚の厚い金属製板材を用いて形成されており、化粧パネル４のパネル面を構成する本体部５ａを備え、該本体部５ａの左右の両端縁部（本実施の形態では、左右両端部に形成されているが、一方であってもよい）に、壁面Ｗ（裏面）側に向けて折曲する一対の第一折曲片（本発明の折曲片）５ｂ、５ｃがそれぞれ形成されている。前記各第一折曲片５ｂ、５ｃは、それぞれ下地材５の本体部５ａとのあいだになす角度が鋭角となるよう、表裏方向に対して傾斜する状態で折り返し状に折曲形成されており、第一折曲片５ｂ、５ｃの折曲基端部に鋭角部５ｄ、５ｅが下地材５の左右の端縁となるように形成されている。
【００１０】
また、下地材５の上下の両端縁部（折曲片５ｂ、５ｃが形成されない互いに対向する一対の端縁部）には、壁面Ｗ側に向けて直角状に折曲された一対の第二折曲片５ｆ、５ｇが形成され、これら第二折曲片５ｆ、５ｇの折曲先端縁部には、互いに近接する側に向けて折り返され、壁面Ｗに固定するとき壁面Ｗに突き当てられる第三折曲片５ｈ、５ｉがそれぞれ形成されている。そして、これら上下の第二、第三折曲片５ｆ、５ｇ、５ｈ、５ｉの玄関ドア１側に位置する右端部には、鋭角部５ｅよりも玄関ドア１側に突出する上下の位置決め片５ｊ、５ｋがそれぞれ形成されており、後述するように、これら上下の位置決め片５ｊ、５ｋをドア枠２の左枠体２ｃに突き当てることで、下地材５のドア枠２に対する位置決めがなされ、下地材５を壁面Ｗに対して位置決めした状態で固定することができるように設定されている。
さらに、下地材５は、上下端縁部における左右端縁部、即ち、四つのコーナー部において、鋭角部５ｄ、５ｅ、および、第一、第二、第三折曲片５ｂ、５ｃ、５ｆ、５ｇ、５ｈ、５ｉに至る部位を切り落とす状態で切り欠き部５ｍが形成されているとともに、本体部５ａの左右方向両端部には、躯体固定用の一対の貫通孔５ｎが上下方向複数箇所に位置して開設されている。
【００１１】
一方、化粧材６は、下地材本体部５ａに積層する本体部６ａと、該本体部６ａの左右両端縁部に、壁面Ｗ（裏面）側に向けて折曲する一対の第一連結片６ｂ、６ｃがそれぞれ形成されている。ここで、化粧材６の本体部６ａの左右幅は、下地材本体部５ａの左右幅よりも幅広に形成されている。
そして、玄関ドア１側である右端側に形成される第一連結片６ｃは、本体部６ａの右端縁を内側に折り返した先端縁から壁面Ｗ（裏面）に向けて形成されており、これによって、右端側の第一連結片６ｃが本体部６ａ右端縁よりも内側に偏寄して延出しており、後述するように、化粧パネル４（化粧材本体部６ａ）をドア枠２の左側に隣接させたとき、右端側の第一連結片６ｃとドア枠２の左枠部２ｃとのあいだに間隙が形成されるように設定されている。さらに、これら一対の第一連結片６ｂ、６ｃは、本体部６ａに対して９０度の角度を存するように折曲されており、該折曲先端部を内側に折り返すことにより、互いに近接する方向（内側）に膨出する膨出部６ｄ、６ｅが形成されている。これら膨出部６ｄ、６ｅは、本実施の形態では、最も内側に突出する膨出頂部６ｆ、６ｇを折り山とする折曲片で形成されており、膨出頂部６ｆ、６ｇの形成位置は、化粧材６を下地材５に外嵌し、化粧材本体部６ａを下地材５の本体部５ａに当接させる積層状態としたとき、鋭角部５ｄ、５ｅの先端側、即ち、第一折曲片５ｂ、５ｃの先端側部位に対向し、これによって、化粧材６を下地材５に外嵌させたとき、化粧材本体部５ａと第一連結片５ｂ、５ｃとのなす角度が略９０度になるように形成されている。
また、これら左右の膨出部６ｄ、６ｅ同士の対向間隔Ｈ１は、下地材５の左右の鋭角部５ｄ、５ｅにより設定される下地材５の左右幅Ｈ２よりも狭い（Ｈ１＜Ｈ２）長さとなるように設定されている。因みに、連結片６ｂ、６ｃの対向間隔Ｈ３は、下地材５の左右幅Ｈ２と略同長さ（Ｈ３＝Ｈ２）となるように設定されている。
さらに、化粧材６の上下端縁部（連結片６ｂ、６ｃが形成されない互いに対向する一対の端縁部）には、壁面Ｗ側に向けて直角状に折曲された第二連結片６ｈ、６ｉがそれぞれ形成されている。これら第二連結片６ｈ、６ｉの対向間隔は、下地材５の上下の第二折曲片５ｆ、５ｇに外嵌可能な長さに設定されている。
【００１２】
そして、下地材５は、下地材５に開設された貫通孔５ｎ形成部位に対向して壁面Ｗ側の面（裏面）に固定される支持ブラケット７を介して壁面Ｗに固定されるが、前記支持ブラケット７は、下地材５の左右幅よりも短く設定された躯体取り付け片部７ａと、該躯体取り付け片部７ａの左右両端部からそれぞれ表面側（下地材本体部５ａ側）に突出する一対の脚片部７ｂと、該各脚片部７ｂの先端縁部から互いに対向する側に向けて折曲形成された一対の下地材取り付け片部７ｃとを備えて構成されている。そして、支持ブラケット７は、下地材取り付け片部７ｃを下地材５の裏面にあてがい、下地材５の表面側から螺合する螺子７ｄにより下地材５の裏面に固定されるように設定されている。この取り付け状態とすることにより、支持ブラケット７は、躯体取り付け片部７ａと下地材本体部５ａとのあいだに脚片部７ｂの長さに相当する空隙部が形成されるように設定されている。
また、支持ブラケット７の躯体取り付け片部７ａには、下地材貫通孔５ｎに対して表裏方向に連通し、該貫通孔５ｎよりは小径な左右方向長孔状の貫通孔７ｅが開設されている。尚、脚片部７ｂの表裏方向長さは、上下の第二折曲片５ｆ、５ｇの表裏方向長さと同じ長さで、第一折曲片５ｂ、５ｃの表裏方向長さよりは長くなるように寸法設定されている。
【００１３】
そして、支持ブラケット７が固定された下地材５は、支持ブラケット７の躯体取り付け片部７ａを、玄関ドア１のドア枠２の左側に位置する壁面Ｗに突き当て、下地材本体部５ａに開設された貫通孔５ｎから挿通した螺子８を、躯体取り付け片部７ａに開設された貫通孔７ｅの孔縁に緊締することにより、壁面Ｗに固定されるように設定されている。このとき、下地材５は、上下の第二、第三折曲片５ｆ、５ｇ、５ｈ、５ｉに一体形成された上下の位置決め片５ｊ、５ｋの右端縁を、ドア枠２の上下の左端面に突き当てることにより、下地材５の左右方向の位置決めができるように設定されている。また、下地材５の上下方向の位置決めは、下地材本体部５ａの上端縁を上枠部２ａの上端縁部に位置合せすることでなされるように設定されている。
また、下地材５の壁面Ｗへの取り付け状態において、下地材本体部５ａと壁面Ｗとのあいだに支持ブラケット脚片部７ｂの表裏長さに相当する空隙部が形成されている。
【００１４】
続いて、壁面Ｗに固定された下地材５に化粧材６を組み込むことでエントランスユニット３の化粧パネル４が構成されるが、化粧材６は、下地材本体部５ａの表面側に本体部６ａを対向せしめ、上下の第二連結片６ｈ、６ｉの先端部を上下の第二折曲片５ｆ、５ｇの外側にあてがうとともに、左右何れか一方となる第一連結片６ｂまたは６ｃ（本実施の形態では左端側とする）の膨出部６ｄ先端を左端側の鋭角部５ｄにあてがう状態にセットする。
この状態から、本体部６ａの左端側部位を下地材５側に押し付けることにより、膨出部６ｄの、該膨出部６ｄ先端から膨出頂部６ｆに至る傾斜面６ｊが下地材第一折曲片５ｂにガイドされる状態で、第一連結片６ｂが弾性変形しつつ、第一折曲片５ｂ先端側に押し込まれるように設定されている。そして、前記押し込み操作によって膨出部６ｄが鋭角部５ｄを乗り越えることにより、膨出部６ｄの膨出頂部６ｆから本体部６ａ側に至る傾斜面６ｋが、第一折曲片５ｂの傾斜状の折曲先端部に弾圧状に密着する嵌め込み状態となるように設定されている。
ここで、下地材５は、本体部５ａの四つのコーナー部において切り欠き部５ｍが形成されて鋭角部５ｄが切り落とされている。このため、左端側第一連結片６ｂを、左端側第一折曲片５ｂに嵌め込む作業を行う場合に、該切り欠き部５ｍにおいて化粧材第一連結片６ｂは弾性変形することなく、下地材第一折曲片５ｂに外嵌させることができ、そしてこの切り欠き部５ｍにおいて、第一連結片６ｂの姿勢を第一折曲片５ｂに対して傾斜した姿勢として、第一連結片６ｂを、切り欠き部５ｍに隣接する第一折曲片５ｂに斜めに突き当てて軽外嵌状態とすることにより、該部位から第一連結片６ｂを弾性変形させながら第一折曲片５ｂに押し込む作業を円滑、かつ、容易に行うことができるようにしている。因みに、化粧材６と下地材５とは、嵌め込み作業が容易である一方で、化粧材６が下地材５から脱落しないように装着することが要求される。このため、本実施の形態では、切り欠き部５ｍを第一折曲片５ｂの上下端部に形成することにより、上下方向一方から他端に向けて嵌め込み作業を実施することにより、嵌め込み作業が円滑、かつ、容易になり、しかも、切り欠き量を可及的に少なくすることができる。これによって、化粧材６を下地材５に対して円滑、かつ、容易に嵌め込むことができるものでありながら、化粧材６が下地材５から脱落しないようにできる。
【００１５】
続いて、化粧材６の右端側第一連結片６ｃを下地材５の右端側第一折曲片５ｃに嵌め込むが、この場合に、前記左端側と同様に、上下方向一方端部から前記手順により嵌め込むことにより、膨出部６ｅの、該膨出部６ｅ先端から膨出頂部６ｇに至る傾斜面６ｊが右端側第一折曲片５ｃにガイドされる状態で右端側第一連結片６ｃを弾性変形させつつ、第一折曲片５ｂ先端側に押し込まれ、膨出部６ｆが鋭角部５ｅを乗り越えることにより、膨出部６ｅの膨出頂部６ｇから本体部６ａ側に至る傾斜面６ｋが、第一折曲片５ｃの傾斜状の折曲先端部に弾圧状に密着する嵌め込み状態となるように設定され、この状態となると、下地材５と化粧材６の本体部５ａ、６ａ同士、上下の第二折曲片５ｆ、５ｇと上下の第二連結片６ｈ、６ｉ同士がそれぞれ密着状態となるように設定されている。このように、エントランスユニット３の化粧パネル４は、壁面Ｗに予め固定された下地材５に、化粧材６を、第一連結片６ｂ、６ｃの弾性変形に基づいて強制的に押し込むことにより外嵌され、これによって、化粧パネル４の壁面Ｗへの取り付けがなされるように設定されている。尚、この取り付け状態において、第一連結片６ｂ、６ｃは、前述したように、鋭角状に折曲する第一折曲片５ｂ、５ｃに沿って嵌着されることで壁面Ｗに対し直交状態となるように設定されており、これによって、意匠性を高められるようにしている。
このとき、玄関ドア１側となる右端側第一連結片６ｃは、前述したように、本体部６ａ内側の裏面側部位から延出するように折曲されていて、本体部６ａの右端縁が第一連結片６ｃよりも右端側に突出する突出部６ｍとなっている。このように突出部６ｍを形成して、右端側第一連結片６ｃと左枠部２ｃとのあいだに間隙を形成することにより、右端側第一折曲片５ｃに右端側第一連結片６ｃを外嵌させるときに、第一連結片６ｃの弾性変形を前記間隙において行うことができ、外嵌負荷を低減させることができて作業効率がアップし、しかも、前記間隙を突出部６ｍにより塞ぐことができるので、意匠性を損なうことがないように構成されている。
因みに、化粧パネル４の壁面Ｗへの組み込み状態において、化粧材本体部６ａと玄関ドア１の表面板１ｂとが略面一状となるように設定されている。
【００１６】
そして、前記化粧パネル４のパネル面には、下地材本体部５ａ、化粧材本体部６ａに予め適宜形状に設定された開口を開設しておくことにより、照明灯取り付け用開口４ａ、ネームプレート取り付け用開口４ｂ、インターホン取り付け用開口４ｃ、新聞受け用開口４ｄがそれぞれ開設されており、これら開口４ａ、４ｂ、４ｃ、４ｄに照明灯９、ネームプレート１０、インターホン１１、新聞受け１２からなる部材装置を適宜取り付けることによりエントランスユニット３が構成されている。
ここで、図８（Ａ）、（Ｂ）、（Ｃ）にネームプレート用開口４ｂ、図８（Ｄ）、（Ｅ）、（Ｆ）にインターホン用開口４ｃの図面を示すが、ネームプレート１０、インターホン１１を化粧パネル４に固定するためのフック孔４ｅは、下地材５と化粧材６とを貫通する状態で形成され、かつ、化粧材６側に開設されるフック孔は、上方に貫通操作が円滑になるよう大径部が形成され、下方に確実な止め付けが可能な小径部が形成される構成となっており、これによって、ネームプレート１０、インターホン１１を簡単な操作で確実に固定できるようにしている。そして、これら各部材は、壁面Ｗと化粧パネル４とのあいだに形成される隙間を利用して壁面Ｗに対して面一状となるように取り付けられている。
【００１７】
叙述の如く構成された本形態において、下地材５と化粧材６とを積層状に組み込むことで構成される化粧パネル４を壁面Ｗに固定するにあたり、躯体壁面Ｗ固定用の支持ブラケット７が取り付けられた下地材５を予め躯体壁面Ｗに固定し、続いて、化粧材６に形成された一対の第一連結片６ｂ、６ｃを弾性変形させることにより、下地材５に形成された一対の第一折曲片５ｂ、５ｃに外嵌させることで下地材５に対して化粧材６が抜け止め状に一体化され、化粧パネル４の躯体壁面Ｗへの取り付けができる。これによって、予め化粧パネル４を下地材５と化粧材６とを積層状態に一体化しておく必要がなくなり、直接設置現場でこれらを一体化しつつ化粧パネル４を設置することができ、簡単な作業で取り付けが可能となって、作業性の向上を果すことができる。そのうえ、下地材５と化粧材６とを一体化したとき、第一連結片６ｂ、６ｃが弾圧状に第一折曲片５ｂ、５ｃに外嵌した状態となるので、格別一体化手段を用いることなく抜け止め状に外嵌させることができ、作業工程数の削減を果すことができる。
【００１８】
そのうえ、このものでは、予め下地材５を支持ブラケット７を用いて壁面Ｗに固定し、該壁面Ｗに固定された下地材５に対して化粧材６を外嵌させる構成としたので、予め壁面に取り付け枠を設ける必要のない構成でありながら、壁面Ｗとの固定に必要な螺子７ｄ、８が化粧材６により覆われて、化粧パネル４表面に露出することがなく、意匠性の高い化粧パネル４とすることができる。
【００１９】
また、このものでは、下地材５の第一折曲片５ｂ、５ｃの上下端部を切り落とす状態で切り欠き部が形成されているため、該部位においては化粧材６の第一連結片６ｂ、６ｃを弾性変形させることなく下地材５に化粧材６を外嵌させることができ、該嵌め込んだ部位から第一折曲片５ｂ、５ｃ側に第一連結片６ｂ、６ｃを順次押し込む作業を行うことで、第一連結片６ｂ、６ｃを第一折曲片５ｂ、５ｃに容易、かつ、円滑に嵌め込むことができ、化粧材６と下地材５とを強固に一体化することができるものでありながら、これらの嵌め込み作業を容易、かつ、円滑に行うことができる。
【００２０】
しかも、このものでは、化粧材６の第一連結片６ｂ、６ｃのうち、玄関ドア１に近接する第一連結片６ｃは、本体部６ａの内側に偏寄して形成されているので、意匠性が損なわれることを回避しながら、第一折曲片５ｃへの外嵌作業が容易にできる。
【００２１】
さらに、このものでは、第一連結片６ｂ、６ｃにそれぞれ膨出部６ｆ、６ｇが形成されており、該膨出部６ｆ、６ｇを第一折曲片５ｂ、５ｃに押し込むことにより、第一連結片６ｂ、６ｃが強制的に弾性変形して外嵌させることができるうえ、該外嵌状態となると、膨出部６ｆ、６ｇが下地材５からの抜け止めをすることができる。
【００２２】
そのうえ、このものでは、化粧パネル４が玄関ドア１の側部に隣接して配設される構成であるが、化粧パネル４は、下地材５の第二、第三折曲片５ｆ、５ｇ、５ｈ、５ｉに延設した上下の位置決め片５ｊ、５ｋを玄関ドア１のドア枠２に対して突き当てることにより、左右方向の取り付け位置の位置決めを行うことができ、玄関ドア１に対して正確な位置決めをすることができる。
【００２３】
尚、本発明は前記実施の形態に限定されないことは勿論であって、図９に示す第二の実施の形態のようにすることもできる。
第二の実施の形態の化粧パネル１３は、前記第一の実施の形態と同様の基本構成となった下地材１４と化粧材１５とを備えて構成されるが、化粧パネル１３は、玄関ドア１の上部に位置する壁面Ｗ（欄間部位）に固定されている。
そして、この場合に、下地材１４は、上下の端縁部に第一折曲片１４ａが形成され、左右の端縁部にそれぞれ第二、第三折曲片１４ｂ、１４ｃが折曲形成されている。一方、化粧材１５は、上下の端縁部に第一連結片１５ａが形成され、左右の端縁部にそれぞれ第二連結片１５ｂが折曲形成されている。そして、このものでも、下地材１４の壁面Ｗに支持ブラケット１６を予め固定し、該支持ブラケット１６を躯体に固定した後、下地材第一折曲片１４ａに、化粧材第一連結片１５ａを弾性変形させながら外嵌せしめ、第一連結片１５ａ先端の膨出部１５ｃを第一折曲片１４ａに抜け止め状に係止させる一方、第二折曲片１４ｂに化粧材第二連結片１５ｂを外嵌させることで、化粧材１５を下地材１４に一体化するように構成されている。このようにすることにより、化粧パネル１３の壁面Ｗへの固定が容易で、作業性良く化粧パネル１３を取り付けることができるうえ、化粧材１５の本体部１５ｄと玄関ドア１の表面板１ｂとを簡単な構成で面一状態とすることができ、しかも、化粧材本体部１５ｄと玄関ドア１の表面板１ｂとを同様の板材で構成することにより、意匠性の優れた玄関回りとすることができる。尚、このものにおいて、化粧材の第二連結片１５ｂのうち、左側の第二連結片１５ｂを本体部１５ｃ側に偏寄して形成することにより、化粧パネル１３の右方に化粧材１５の突出部１５ｅが形成されて、左枠部２ｃに形成された段差部を塞ぐことができるようにしている。
【００２４】
さらに、図１０に示す第三の実施の形態のように構成することができる。
このものは、Ｌ字形の壁面Ｗに複数の化粧パネル１７が固定されているものであり、各化粧パネル１７は、左右方向に複数分割され、上下方向長尺形状に形成されており、各化粧パネル１７は、予め支持ブラケット１８が取り付けられた下地材１９を壁面Ｗに固定した後、化粧材２０を外嵌させる構成となっている。このものでは、化粧材２０の左右方向一方の端縁部に折り返し部２０ａを形成したもの、段差部２０ｂを形成したものを適宜隣接せしめ、折り返し部２０ａと段差部２０ａとをオーバーラップさせて隣接する化粧パネル１７同士のあいだから壁面Ｗが露出しないように配慮されている。尚、本実施の形態の下地材１９は、化粧材２０に段差部２０ｂを形成するために折曲片１９ａに段差部１９ｂが形成されたものがある。
【００２５】
尚、図１１に、下地材の折曲片と化粧材の連結片との他例についての側面図を示す。
これらは何れのものも、化粧材の連結片が弾性変形することにより下地材の折曲片に外嵌する構成であり、図１１（Ａ）のものは、化粧材２１の左側端縁部に形成される連結片２１ａの先端部に抜け止め片２１ｂを形成し、該抜け止め辺２１ｂを下地材２２の直角状に折り返し状に折曲する折曲片２２ａに係止するまで押し込むことで抜け止めがなされる構成となっている。尚、このものの場合、予め、化粧材２１の連結片２１ａを弾性変形させることなく下地材２２に外嵌せしめたうえ、前記第一の実施の形態と同じ構成の右側端縁部の連結片を折曲片に対して弾性変形を伴って外嵌させる構成とすることもできる。
また、図１１（Ｂ）のものは、化粧材２３の連結片２３ａに形成された折り返し片２３ｂを、下地材２４の折曲片２４ａに形成した折り返し片２４ｂに押し込んで外嵌することで抜け止めされている。
図１１（Ｃ）のものは、化粧材２５の連結片２５ａに形成された折り返し片２５ｂを、下地材２６の折曲片２６ａに形成した折り返し片２６ｂに押し込んで内嵌させることにより抜け止めされている。
図１１（Ｄ）のものは、化粧材２７の連結片２７ａと下地材２８の折曲片２８ｃとを円弧状に形成し、連結片２７ａを折曲片２８ｃに押し込んで外嵌させることにより、これらの曲率に基づいて抜け止めがなされている。尚、このものでは、右端縁部において化粧材２７を下地材２８に外嵌させた後、左端縁部において弾性変形を伴う外嵌をさせる構成となっており、このようにすることにより、化粧材２７と下地材２８とは、対向する端縁部同士の一方にのみ、連結片、折曲片を設ける構成とすることができる。
図１１（Ｅ）のものは、化粧材２９の連結片２９ａの先端に形成した折り返し片２９ｂを、下地材３０の折曲片３０ａに形成した折り返し片３０ｂに沿って押し込み、化粧材２９側の折り返し片２９ｂ先端を下地材３０側の折り返し片３０ｂ先端面に突き当てることにより抜け止めされている。
【図面の簡単な説明】
【００２６】
【図１】玄関ドアとエントランスユニットとの正面図である。
【図２】玄関ドアとエントランスユニットとの平面断面図である。
【図３】図３（Ａ）、（Ｂ）はそれぞれ玄関ドア部の側面断面図、エントランスユニット部の側面断面図である。
【図４】エントランスユニットの正面図である。
【図５】図５（Ａ）、（Ｂ）、（Ｃ）はそれぞれ下地材の平面断面図、化粧材の平面断面図、下地材に化粧材を外嵌させた平面断面図である。
【図６】図６（Ａ）、（Ｂ）はそれぞれ下地材に支持ブラケットを固定した状態を説明する正面図、Ｘ−Ｘ平面断面図である。
【図７】図７（Ａ）、（Ｂ）、（Ｃ）はそれぞれ下地材の正面図、下地材に支持ブラケット、化粧材を組み込んだ状態の正面図、下地材に支持ブラケット、化粧材を組み込んだ状態の側面断面図である。
【図８】図８（Ａ）、（Ｂ）、（Ｃ）、（Ｄ）、（Ｅ）、（Ｆ）はそれぞれエントランスパネルのネームプレート部の正面図、図８（Ａ）のＸ−Ｘ断面図、背面図、インターホン部の正面図、図８（Ｄ）のＸ−Ｘ断面図、背面図である。
【図９】図９（Ａ）、（Ｂ）はそれぞれ第二の実施の形態の化粧パネル取り付け状態を説明する側面断面図、平面断面図である。
【図１０】第三の実施の形態の化粧パネル取り付け状態を説明する平面断面図である。
【図１１】図１１（Ａ）、（Ｂ）、（Ｃ）、（Ｄ）、（Ｅ）はそれぞれ下地材と化粧材との嵌合状態を説明する平面図である。
【符号の説明】
【００２７】
１    玄関ドア
２    ドア枠
３    エントランスユニット
４    化粧パネル
５    本体部
５ａ    本体部
５ｂ    第一折曲片
５ｄ    鋭角部
５ｆ    第二折曲片
５ｈ    第三折曲片
５ｊ    位置決め片
６    化粧材
６ａ    本体部
６ｂ    第一連結片
６ｄ    膨出部
６ｆ    膨出頂部
６ｈ    第二連結片
７    支持ブラケット
８    螺子
９    照明灯
【図１】
0004703412.tif 000002
【図２】
0004703412.tif 000003
【図３】
0004703412.tif 000004
【図４】
0004703412.tif 000005
【図５】
0004703412.tif 000006
【図６】
0004703412.tif 000007
【図７】
0004703412.tif 000008
【図８】
0004703412.tif 000009
【図９】
0004703412.tif 000010
【図１０】
0004703412.tif 000011
【図１１】
0004703412.tif 000012